(57)【要約】【課題】表示品位の劣化を抑制することが可能な表示装置を提供する。【解決手段】表示光を出射する表示部と、前記表示光を透過又は反射させる光学素子と、前記光学素子で反射された前記表示光を再帰反射させる反射素子と、前記表示部から出射される前記表示光を前記光学素子の方向へ指向させる第１導光部と、を備えている、表示装置。【選択図】      図１
2018045096.tif 000002
【特許請求の範囲】
【請求項１】
表示光を出射する表示部と、
前記表示光を透過又は反射させる光学素子と、
前記光学素子で反射された前記表示光を再帰反射させる反射素子と、
前記表示部から出射される前記表示光を前記光学素子の方向へ指向させる第１導光部と、を備えている、表示装置。
【請求項２】
前記表示部は、照明装置と、表示パネルと、を備え、
前記第１導光部は、前記照明装置と対向する素子面と、
前記素子面の面内方向において間隔を空けて並ぶ複数の壁面部と、を備えている、請求項１に記載の表示装置。
【請求項３】
前記複数の壁面部は、前記素子面の前記光学素子に近接する側の端辺と平行な第１方向に延在し、前記第１方向と交差する第２方向に並ぶ複数の第１羽板と、
前記複数の第１羽板と交差し前記第１方向に並ぶ複数の第２羽板と、を備えている、請求項２に記載の表示装置。
【請求項４】
前記第１導光部は、互いに対向する第１ルーバ層及び第２ルーバ層を備え、
前記複数の壁面部は、前記第１ルーバ層に位置し、前記素子面の前記光学素子に近接する側の端辺と平行な第１方向に延在し、前記第１方向と交差する第２方向に並ぶ複数の第１羽板と、
前記第２ルーバ層に位置し、前記第２方向に延在し、前記第１方向に並ぶ複数の第２羽板と、を備えている、請求項２に記載の表示装置。
【請求項５】
前記第１羽板は、前記素子面に対して、前記照明装置から前記光学素子に向かう方向に傾斜している、請求項３又は４に記載の表示装置。
【請求項６】
前記複数の第１羽板の前記素子面に対する複数の傾斜角は、前記光学素子から離間する位置において、前記光学素子に近接する位置よりも大きい、請求項５に記載の表示装置。
【請求項７】
前記第１導光部は、前記照明装置と前記表示パネルとの間に位置しており、
前記複数の壁面部は、光反射性を有する光反射面である、請求項２乃至６のいずれか１項に記載の表示装置。
【請求項８】
前記第１導光部は、前記表示パネルの前記光学素子と対向する側に位置しており、
前記複数の壁面部は、遮光性を有する遮光面である、請求項２乃至６のいずれか１項に記載の表示装置。
【請求項９】
さらに、前記光学素子を透過する前記表示光を、前記反射素子から前記光学素子へ向かう方向に沿って指向させる第２導光部を備えている、請求項１乃至８のいずれか１項に記載の表示装置。
【請求項１０】
表示光を出射する表示部と、
前記表示光を透過又は反射させる光学素子と、
前記光学素子で反射された前記表示光を再帰反射させる反射素子と、
前記光学素子を透過する前記表示光を前記反射素子から前記光学素子へ向かう方向に沿って指向させる導光部と、を備えている、表示装置。
【請求項１１】
前記導光部は、前記反射素子と対向する素子面と、
前記素子面の面内方向において間隔を空けて並ぶ複数の壁面部と、を備えている、請求項１０に記載の表示装置。
【請求項１２】
前記複数の壁面部は、前記素子面の前記表示部に近接する側の端辺と平行な第１方向に延在し、前記第１方向と交差する第２方向に並ぶ複数の第１羽板と、
前記複数の第１羽板と交差し、前記第１方向に並ぶ複数の第２羽板と、を備えている、請求項１１に記載の表示装置。
【請求項１３】
前記導光部は、互いに対向する第１ルーバ層及び第２ルーバ層を備え、
前記複数の壁面部は、前記第１ルーバ層に位置し、前記素子面の前記表示部に近接する側の端辺と平行な第１方向に延在し、前記第１方向と交差する第２方向に並ぶ複数の第１羽板と、
前記第２ルーバ層に位置し、前記第２方向に延在し、前記第１方向に並ぶ複数の第２羽板と、を備えている、請求項１１に記載の表示装置。
【請求項１４】
前記第１羽板は、前記素子面に対して、前記反射素子から前記光学素子に向かう方向に沿って傾斜している、請求項１２又は１３に記載の表示装置。
【請求項１５】
前記導光部は、前記光学素子の前記反射素子と対向する側とは反対側に位置しており、
前記複数の壁面部は、遮光性を有する遮光面である、請求項１１乃至１４のいずれか１項に記載の表示装置。
【発明の詳細な説明】
【技術分野】
【０００１】
本発明の実施形態は、表示装置に関する。
【背景技術】
【０００２】
空中に画像を表示する表示装置の一例として、表示部から出射された第１偏光の表示光を、反射型の偏光フィルタで正反射させ、再帰反射部で偏光方向を変更して第２偏光として再帰反射させ、偏光フィルタを透過させ、偏光フィルタを挟んで表示部と対称な位置で結像させる結像装置が開示されている。この様な結像装置において、光路から外れた迷光は、表示品位の劣化の原因となる恐れがある。
【先行技術文献】
【特許文献】
【０００３】
【特許文献１】特開２０１１−２５３１２８号公報
【発明の概要】
【発明が解決しようとする課題】
【０００４】
本実施形態の目的は、表示品位の劣化を抑制することが可能な表示装置を提供することにある。
【課題を解決するための手段】
【０００５】
本実施形態によれば、
表示光を出射する表示部と、前記表示光を透過又は反射させる光学素子と、前記光学素子で反射された前記表示光を再帰反射させる反射素子と、前記表示部から出射される前記表示光を前記光学素子の方向へ指向させる第１導光部と、を備えている、表示装置が提供される。
【０００６】
本実施形態によれば、
表示光を出射する表示部と、前記表示光を透過又は反射させる光学素子と、前記光学素子で反射された前記表示光を再帰反射させる反射素子と、前記光学素子を透過する前記表示光を前記反射素子から前記光学素子へ向かう方向に沿って指向させる導光部と、を備えている、表示装置が提供される。
【図面の簡単な説明】
【０００７】
【図１】図１は、本実施形態に係る表示装置１の一構成例を示す図である。
【図２】図２は、導光部ＬＧの一構成例を示す図である。
【図３】図３は、図２に示したＩＩＩ−ＩＩＩ’線に沿った導光部ＬＧ１の断面図である。
【図４】図４は、図２に示したＩＶ−ＩＶ’線に沿った導光部ＬＧ１の断面図である。
【図５】図５は、図３に示した導光部ＬＧ１による表示光Ｌの指向性を示す図である。
【図６】図６は、図４に示した導光部ＬＧ１による表示光Ｌの指向性を示す図である。
【図７】図７は、導光部ＬＧの別の構成例を示す図である。
【図８】図８は、導光部ＬＧの別の構成例を示す図である。
【図９】図９は、表示パネルＰＮＬの一構成例を示す図である。
【図１０】図１０は、表示部ＤＳＰの一構成例を示す断面図である。
【図１１】図１１は、反射素子２０の一構成例を示す図である。
【図１２】図１２は、図１１に示したＸＩＩ−ＸＩＩ’線に沿った反射素子２０の断面図である。
【図１３】図１３は、羽板ＬＶ１による表示光Ｌへの指向性の付与の一例を示す図である。
【図１４】図１４は、図１３に示した表示光Ｌの指向性を示す図である。
【図１５】図１５は、羽板ＬＶ１による表示光Ｌの出射角制限の一例を示す図である。
【図１６】図１６は、図１５に示した角度γと角度αとの関係を示す図である。
【発明を実施するための形態】
【０００８】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【０００９】
本実施形態において、表示部ＤＳＰは、表示パネルＰＮＬへの入射光を選択的に透過することで画像を表示する透過型の液晶表示装置を例に挙げて説明するが、これに限定されるものではない。例えば、表示部ＤＳＰは、表示パネルＰＮＬへの入射光を選択的に反射することで画像を表示する反射型の液晶表示装置であっても良く、また、透過型と反射型との機能を併せ持つ半透過型の液晶表示装置であっても良い。さらに、表示部ＤＳＰは、有機や無機のＬＥＤ（Ｌｉｇｈｔ  Ｅｍｉｔｔｉｎｇ  Ｄｉｏｄｅ）を画素として利用した自発光型の表示装置や、機械構造によって反射光又は透過光を制御するＭＥＭＳ（Ｍｉｃｒｏ  Ｅｌｅｃｔｒｏ  Ｍｅｃａｎｉｃａｌ  Ｓｙｓｔｅｍ）方式の表示装置であっても良い。表示部ＤＳＰは、ポスターや立体物等であっても良い。
【００１０】
図１は、本実施形態に係る表示装置１の一構成例を示す図である。  
図示した例において、方向Ｄ２は、方向Ｄ１と直交する方向であり、方向Ｄ３は、方向Ｄ１と直交する方向である。また、方向Ｄ４は、方向Ｄ１及びＤ２と直交する方向である。但し、方向Ｄ２及びＤ３は、それぞれ直交以外の角度で方向Ｄ１と交差していても良く、方向Ｄ４も、直交以外の角度で方向Ｄ１及びＤ２と交差していてもよい。
【００１１】
表示装置１は、表示画像Ｉ１を空中に結像する空中結像装置である。表示部ＤＳＰに表示された表示画像Ｉ０は、表示画像Ｉ１の実像に相当する。表示画像Ｉ１は、光学素子１０を対称面として、表示画像Ｉ０と対称な位置に結像される。表示装置１は、表示部ＤＳＰ、光学素子１０、反射素子２０、及び、導光部ＬＧ（ＬＧ１、ＬＧ２）、などを備えている。
【００１２】
表示部ＤＳＰは、表示光Ｌ（Ｌ１、Ｌ２）を出射するものであり、照明装置ＬＳ、表示パネルＰＮＬを備えている。例えば、照明装置ＬＳは、方向Ｄ１に沿って延在する１組の端辺と、方向Ｄ２に沿って延在する１組の端辺と、を有する四角形状である。また、照明装置ＬＳは、方向Ｄ１及びＤ２によって規定されるＤ１−Ｄ２平面と平行な主面を有しており、光学素子１０側の主面（照明面）から光を照射する。照明装置ＬＳは、表示パネルＰＮＬに光を照射するものであれば、その構成は特に限定されるものではない。詳細な説明は省略するが、照明装置ＬＳは、例えば、ＬＥＤを導光板の端部に備えた所謂エッジライト型バックライトや、ＬＥＤを拡散板の直下に備えた所謂直下型バックライトを適用可能である。照明装置ＬＳから出射される光は、無偏光の自然光でもよく、直線偏光や円（楕円）偏光などの偏光光でもよい。
【００１３】
表示パネルＰＮＬは、図示した例では、透過型液晶表示パネルであり、液晶組成物の配向を印加電圧によって制御することにより、画素単位で透過光を制御する。表示パネルＰＮＬは、照明装置ＬＳと光学素子１０との間に位置している。表示パネルＰＮＬは、方向Ｄ１及びＤ２に沿って延在する端辺を有する四角形状であり、方向Ｄ４において照明装置ＬＳと対向している。表示パネルＰＮＬの詳細な構成については後述する。
【００１４】
光学素子１０は、表示光Ｌを透過又は反射させるものであり、図示した例では、偏光素子ＰＬ及び位相差板ＲＡを備えている。表示光Ｌのうち、表示光Ｌ１は光学素子１０を透過し、表示光Ｌ２は光学素子１０で反射される。光学素子１０は、方向Ｄ１及びＤ３によって規定されるＤ１−Ｄ３平面と平行な主面を有しており、表示画像Ｉ１側に位置する外面１０Ｂと、外面１０Ｂとは反対側に位置する内面１０Ａと、を有している。内面１０Ａは、表示部ＤＳＰ及び反射素子２０と向かい合っている。
【００１５】
偏光素子ＰＬは、例えば、方向Ｄ１及びＤ３と平行な端辺を有し、Ｄ１−Ｄ３平面と平行な主面を有している。偏光素子ＰＬの表示画像Ｉ１側に位置する主面が、外面１０Ｂに相当する。偏光素子ＰＬは、第１直線偏光を透過する透過軸を有し、透過軸と直交する第２直線偏光を反射する反射型偏光板である。例えば、第１直線偏光は入射面に平行なＰ波であり、第２直線偏光は入射面に垂直なＳ波である。このような偏光素子ＰＬは、例えば、ワイヤグリッド偏光フィルタや、輝度上昇フィルムを適用した反射型偏光フィルムや、この反射型偏光フィルムと吸収型偏光板とを重ねた多層体などによって構成されている。偏光素子ＰＬが上記の様な多層体によって構成される場合、吸収型偏光板は、反射型偏光フィルムの上（すなわち表示部ＤＳＰ及び反射素子２０と対向する側とは反対側）に配置され、しかも、反射型偏光フィルムの透過軸と平行な透過軸を有する。偏光素子ＰＬが吸収型偏光板を備えている場合、偏光素子ＰＬに表示部ＤＳＰと対向する側とは反対側から入射する外光の反射を抑制し、表示品位の劣化を抑制することができる。また、偏光素子ＰＬが反射型偏光板よりも偏光度の高い吸収型偏光板を備えている場合、表示画像Ｉ１のコントラストを向上させることができる。
【００１６】
位相差板ＲＡは、偏光素子ＰＬと対向しており、表示部ＤＳＰと偏光素子ＰＬとの間、及び反射素子２０と偏光素子ＰＬとの間に位置している。位相差板ＲＡは、例えば、偏光素子ＰＬと略平行に配置され、Ｄ１−Ｄ３平面に平行な主面を有している。位相差板ＲＡの表示部ＤＳＰ及び反射素子２０側の主面が、内面１０Ａに相当する。位相差板ＲＡは、例えば、透過光に約λ／４の位相差を付与するλ／４板である。ここで、λは、透過光の波長である。位相差板ＲＡは、位相差値や波長分散性が異なる複数の位相差フィルムの積層体であってもよい。例えば、位相差板ＲＡは、波長依存性を緩和するなどの目的で、λ／２板及びλ／４板を組み合わせて構成してもよい。詳細については省略するが、位相差板ＲＡは、その遅相軸が位相差板ＲＡに入射する直線偏光の偏光面に対して４５°の角度で交差するように配置される。従って、位相差板ＲＡを透過する際、直線偏光は円偏光に変換され、円偏光は直線偏光に変換される。なお、ここでいう円偏光には楕円偏光も含まれる。
【００１７】
光学素子１０が反射型の偏光素子ＰＬと位相差板ＲＡとの組み合わせによって構成されている場合、表示装置１は、表示光Ｌの利用効率を向上させることが可能であり、表示画像Ｉ１の鮮明性を向上させることができる。また、表示装置１の内部へ侵入した外光が表示部ＤＳＰや反射素子２０で反射して表示装置１の外部へ出射されることを抑止可能であり、外光に起因した表示画像Ｉ１のぼやけやギラツキを抑制することができる。但し、光学素子１０は、反射型偏光素子を備えた構成に限定されるものではなく、誘電体多層膜やハーフミラーなどの他のビームスプリッタであっても良い。
【００１８】
図示した例では、金属薄膜２２が、再帰反射面２０Ａを形成している。つまり、反射素子２０は、位相差板などの各種光学部材が配置される表示装置１の内側に再帰反射面２０Ａに相当する凹凸面を有し、表示装置１の外側に裏面２０Ｂに相当する平坦面を有している。なお、金属薄膜２２は、腐食や損傷を防止するための表面処理が施されてもよい。また、金属薄膜２２は、シリコン窒化物（ＳｉＮ）などの無機系材料や光透過性樹脂などの有機系材料によってコーティングされてもよい。この場合、反射素子２０は、表示装置１の内側に、再帰反射面２０Ａに対応する領域であっても平坦面を有していてもよい。
【００１９】
基材２１が光反射性を呈する材料によって形成されている場合には、基材２１の表面２１Ａが再帰反射面２０Ａを形成していてもよい。この場合、製造工程において、金属薄膜などの光反射性を有する層を形成する工程を省略することができる。
【００２０】
光学素子１０から反射素子２０へ入射する表示光Ｌの再帰反射面２０Ａにおける透過率はほぼゼロであり、再帰反射面２０Ａに入射した表示光Ｌのほとんどは、反射素子２０の裏面２０Ｂに到達することはない。すなわち、本構成例によれば、裏面２０Ｂでの光反射によるゴーストの発生を抑制することができる。
【００２１】
なお、反射素子２０は、表示装置１の内側に基材２１を備え、表示装置１の外側に金属薄膜２２を備えていてもよい。この場合、反射素子２０は、表示装置１の内側に平坦面（裏面２０Ｂ）を有する。また、この場合は、表示装置１の外側に、再帰反射面２０Ａに相当する凹凸面を有する。
【００２２】
基材２１が表面２１Ａで屈折率の異なる材料（空気層、など）と隣接する場合、反射素子２０は、金属薄膜２２を備えていなくてもよい。この場合、反射素子２０に入射する光は、基材２１の表面２１Ａにおける界面反射によって再帰反射されるため、再帰反射面２０Ａには表面２１Ａが相当する。
【００２３】
光学素子１０は、表示パネルＰＮＬに対して、角度θ１を成す様に配置されている。角度θ１は、例えば、表示パネルＰＮＬの主面と、偏光素子ＰＬの主面とが成す角度に相当し、方向Ｄ２と方向Ｄ３とが成す角度に相当する。角度θ１は、表示部ＤＳＰから出射された表示光Ｌが光学素子１０に入射する角度であれば特に限定されるものではない。一例では、角度θ１は、０°より大きく９０°より小さい鋭角に設定される。角度θ１が４５°以上、９０度未満であれば、表示部ＤＳＰからの表示光Ｌを効率的に光学素子１０へ入射させることができる。  
反射素子２０は、光学素子１０に対して、角度θ２を成す様に配置されている。角度θ２は、例えば、反射素子２０の裏面２０Ｂと、偏光素子ＰＬの主面とが成す角度に相当する。角度θ２は、光学素子１０で反射された表示光Ｌ２が再帰反射面２０Ａに入射する角度であれば、特に限定されるものではない。但し、再帰反射面２０Ａにおける再帰反射の効率の観点から、角度θ２は、４５°以上１３５°以下に設定されることが望ましく、より望ましくは４５°以上９０°未満である。角度θ２は、反射素子２０の測定位置によって変化してもよい。つまり反射素子２０は、少なくとも一部が湾曲して形成されていても良い。
【００２４】
導光部ＬＧ１は、表示部ＤＳＰから出射される表示光Ｌを、光学素子１０の方向へ指向させる出射角制限部材である。導光部ＬＧ１は、ポジション９０１又は９０２に配置される。ポジション９０１は、照明装置ＬＳと表示パネルＰＮＬとの間であり、ポジション９０１に配置される導光部ＬＧ１は、照明装置ＬＳから表示パネルＰＮＬに向かう光に指向性を付与する。ポジション９０２は、表示パネルＰＮＬと光学素子１０との間、つまり表示パネルＰＮＬの光学素子１０に対向する側であり、ポジション９０２に配置される導光部ＬＧ１は、表示パネルＰＮＬから出射される表示光Ｌに指向性を付与する。導光部ＬＧ１は、ポジション９０１及び９０２の両方に配置されても良いし、片方だけに配置されても良い。表示装置１内部において表示に寄与せずに各部で反射される迷光は、表示装置１の表示品位を劣化させるものであり、導光部ＬＧ１を備えた表示装置１は、表示部ＤＳＰから反射素子２０の位置する方向への光の出射を制限することで、迷光の発生を抑制することができる。
【００２５】
例えば、導光部ＬＧ１は、Ｄ１−Ｄ２平面と平行な主面ＬＧ１ａ及びＬＧ１ｂを有している。また、導光部ＬＧ１は、方向Ｄ４に延在し方向Ｄ２で互いに対向する側面ＬＧ１ｃ及びＬＧ１ｄを有している。主面ＬＧ１ａは、照明装置ＬＳと対向する側の主面であり、導光部ＬＧ１の素子面に相当する。ここでいう素子面とは、導光部ＬＧにおいて光が入射する側の面のことであり、必ずしも実体的な平面を指すものに限定されず仮想平面でも良く、一例では、壁面部ＬＶと開口部が交互に並んでいる。
【００２６】
導光部ＬＧ１は、素子面の面内方向（図示した例では方向Ｄ１及びＤ２）において、間隔を空けて並ぶ複数の壁面部ＬＶを備えている。壁面部ＬＶは、主面ＬＧ１ａから主面ＬＧ１ｂに亘って形成されている。ポジション９０１に配置される導光部ＬＧ１においては、壁面部ＬＶは、光反射性を有する光反射面であることが望ましい。壁面部ＬＶが光反射面である場合、導光部ＬＧ１における光損失を抑制することができ、表示光Ｌ１の指向性を向上させることができる。ポジション９０２に配置される導光部ＬＧ１においては、壁面部ＬＶは、遮光性を有する遮光面であることが望ましい。壁面部ＬＶが遮光面である場合、導光部ＬＧ１における反射光に起因したギラツキを抑制することができる。
【００２７】
導光部ＬＧ２は、光学素子１０を透過する表示光Ｌを、反射素子２０から光学素子１０へ向かう方向に沿って指向させる出射角制限部材である。導光部ＬＧ２は、図示した例では、光学素子１０の反射素子２０と対向する側とは反対側のポジション９１１に配置され、光学素子１０を透過した後の表示光Ｌに指向性を付与する。但し、導光部ＬＧ２は、これに限定されるものではなく、例えば、光学素子１０の内部のポジション９１２に配置され光学素子１０を透過中の表示光Ｌに指向性を付与しても良く、反射素子２０の光学素子１０と対向する側のポジション９１２に配置され反射素子２０で再帰反射される前後において表示光Ｌに指向性を付与しても良い。ポジション９１１又は９１２に配置される導光部ＬＧ２は、表示部ＤＳＰから出射した表示光Ｌのうち、光学素子１０で反射されなかった成分である表示光Ｌ２が表示装置１の外部へ漏れることを抑制し、表示画像Ｉ１以外の位置で表示画像Ｉ０が視認されることを抑制することができる。また、導光部ＬＧ２が表示光Ｌ１を除く光学素子１０の透過光（迷光や外光の反射光）を遮ることで、表示装置１の外部の観察者によって表示装置１内部の構成要素（表示部ＤＳＰ、反射素子２０、など）が視認されることを抑制可能である。ポジション９１３に配置される導光部ＬＧ２は、光学素子１０を透過して表示装置１の内部へ侵入する外光の再帰反射を遮ることで、観察者による反射素子２０の視認や、外光起因のギラツキを抑制可能である。なお、導光部ＬＧ２は、ポジション９１１乃至９１３のいずれか複数に配置されても良く、あるいはいずれかの一ヶ所に配置されても良く、あるいは、その全てに配置されても良い。
【００２８】
例えば、ポジション９１１に配置された導光部ＬＧ２は、Ｄ１−Ｄ３平面と平行な主面ＬＧ２ａ及びＬＧ２ｂを有している。また、導光部ＬＧ２は、方向Ｄ３で互いに対向する側面ＬＧ２ｃ及びＬＧ２ｄを有している。主面ＬＧ２ａは、光学素子１０と対向する側の主面であり、導光部ＬＧ２の素子面に相当する。導光部ＬＧ２の素子面も、導光部ＬＧ１の素子面同様に、仮想平面でも良い。
【００２９】
導光部ＬＧ２も、導光部ＬＧ１同様、素子面の内面方向（図示した例では方向Ｄ１及びＤ３）において、間隔を空けて並ぶ複数の壁面部ＬＶを備えている。壁面部ＬＶは、主面ＬＧ２ａから主面ＬＧ２ｂに亘って形成されている。導光部ＬＧ２の壁面部ＬＶは、導光部ＬＧ２における反射光に起因したギラツキを抑制する観点から、遮光面であることが望ましい。
【００３０】
以上の様に、本実施形態によれば、表示品位の劣化を抑制することが可能な表示装置１を提供することが可能となる。なお、図示した構成例において、表示装置１は、導光部ＬＧ１及びＬＧ２の両方を備えているが、導光部ＬＧ１またはＬＧ２のいずれか一方だけを備えた構成であっても、同様の効果を得ることができる。
【００３１】
次に、これら導光部ＬＧ（ＬＧ１及びＬＧ２）の構成例について説明する。以下の図２乃至図４においては、導光部ＬＧ１の構成例を説明するが、ＬＧ１ａ乃至ＬＧ１ｄをＬＧ２ａ乃至ＬＧ２ｄに置き換え、また、Ｄ２をＤ３に置き換えることで、導光部ＬＧ２の構成例と捉えることができる。
【００３２】
図２は、導光部ＬＧの一構成例を示す図である。  
複数の壁面部ＬＶは、互いに交差する複数の羽板ＬＶ１及びＬＶ２を備えている。例えば、複数の羽板ＬＶ１は、方向Ｄ１に延在し、方向Ｄ２に並んでいる。また、複数の羽板ＬＶ２は、方向Ｄ２に延在し、方向Ｄ１に並んでいる。羽板ＬＶ１又はＬＶ２の配置間隔は、Ｐ３である。
【００３３】
壁面部ＬＶは、所定の厚みを持った四角形状の板材７に、光を透過させるための複数の四角柱状の開口部８が設けられたものである。開口部８は、方向Ｄ１及びＤ２に並んで配置されている。但し、開口部８は、これらに限定されるものではなく、断面形状が三角形や六角形であっても良く、配列が千鳥状やハニカム状であっても良い。開口部８は、空間であっても良いし、透明性が高く板材７とは屈折率の異なる樹脂材料などで充填されていても良い。開口部８の内壁面９は、壁面部ＬＶに相当し、例えば金属反射膜又は遮光膜が形成されている。１つの開口部８によって形成された複数の内壁面９は、方向Ｄ１及びＤ２で対向している。板材７は、ガラスなどの透明材料で形成されても良く、光反射性や遮光性の材料で形成されても良い。板材７が光反射性又は遮光性の材料で形成されている場合、内壁面９に反射膜や遮光膜を形成する工程を省略することができる。
【００３４】
図３は、図２に示したＩＩＩ−ＩＩＩ’線に沿った導光部ＬＧ１の断面図である。  
羽板ＬＶ１は、主面ＬＧ１ａ側から主面ＬＧ１ｂ側にかけて、素子面（主面ＬＧ１ａ）に対して、図１に図示した照明装置ＬＳから光学素子１０に向かう方向に傾斜している。つまり、素子面の面内方向（Ｄ１−Ｄ２平面）において、羽板ＬＶ１の主面ＬＧ１ａ側の一端部は、羽板ＬＶ１の主面ＬＧ１ｂ側の他端部に比べて、導光部ＬＧ１の光学素子１０に近接する側の端辺である側面ＬＧ１ｃから離間している。
【００３５】
複数の羽板ＬＶ１は、主面ＬＧ１ａに対して、鋭角である角度α１及びα２で配置されている。角度α１は、光学素子１０に近接する位置、すなわち側面ＬＧ１ｃに近接する位置の羽板ＬＶ１が主面ＬＧ１ａに対して形成する角度である。角度α２は、光学素子１０から離間する位置、すなわち側面ＬＧ１ｄに近接する位置の羽板ＬＶ１が主面ＬＧ１ａに対して形成する角度である。角度α１は、角度α２よりも大きい。但し、角度α１及びα２が等しく、複数の羽板ＬＶ１が、主面ＬＧ１ａに対して、一様な角度で傾斜していても良い。
【００３６】
図４は、図２に示したＩＶ−ＩＶ’線に沿った導光部ＬＧ１の断面図である。  
羽板ＬＶ２は、主面ＬＧ１ａ側から主面ＬＧ１ｂ側にかけて、素子面（主面ＬＧ１ａ）に対して、面内方向における中央部に向かう方向に傾斜している。つまり、素子面の面内方向（Ｄ１−Ｄ２平面）において、羽板ＬＶ１の主面ＬＧ１ａ側の一端部は、羽板ＬＶ１の主面ＬＧ１ｂ側の他端部に比べて、導光部ＬＧ１の側面に近接している。
【００３７】
複数の羽板ＬＶ２は、主面ＬＧ１ａに対して、鋭角である角度β１及びβ２で配置されている。角度β１は、導光部ＬＧ１の側面に近接する位置の羽板ＬＶ２が主面ＬＧ１ａに対して形成する角度である。角度β２は、導光部ＬＧ１の主面ＬＧ１ａ方向における中心部に近接する位置の羽板ＬＶ２が主面ＬＧ１ａに対して形成する角度である。角度β２は、角度β１よりも大きい。また、複数の羽板ＬＶ２は、方向Ｄ１での中心に位置する羽板ＬＶ２を対称軸として線対称な構造を有しており、導光部ＬＧ１のＩＶ側の側面からＮ番目の羽板ＬＶ２の角度β１は、導光部ＬＧ１のＩＶ’側の側面からＮ番目の羽板の角度β１と等しい。但し、角度β１及びβ２が等しく、複数の羽板ＬＶ２が、主面ＬＧ１ａに対して、一様な角度で傾斜していても良い。
【００３８】
図５は、図３に示した導光部ＬＧ１による表示光Ｌの指向性を示す図である。  
表示部ＤＳＰは、光学素子１０に近接する側と離間する側とで、表示光Ｌが光学素子１０へ入射可能な出射角の範囲が異なる。従って、本図で図示した様に、羽板ＬＶ１の主面ＬＧ１ａに対する傾斜角を、主面ＬＧ１ａの面内方向において変化させることで、表示部ＤＳＰの全面において、表示光Ｌを効率的に光学素子１０に指向させることができる。
【００３９】
図６は、図４に示した導光部ＬＧ１による表示光Ｌの指向性を示す図である。  
表示装置１は、箱型のフレームＦＲに収められており、表示部ＤＳＰと反射素子２０とを繋ぐ側面４０及び５０を備えている。側面４０及び５０は、表示装置１内部における迷光を抑制する観点から、遮光性の内壁面を有している。
【００４０】
表示部ＤＳＰの側面４０に近接する位置から出射される表示光Ｌは、羽板ＬＶ２の構造によって、方向Ｄ３から側面５０に近接する方向までの範囲に向けた指向性を有する。同様に、側面０に近接する位置から出射される表示光Ｌは、方向Ｄ３から側面４０に近接する方向までの範囲に向けた指向性を有する。これによって、表示光Ｌが側面４０及び５０に入射することによる損失を低減し、光の利用効率を向上させることができる。
【００４１】
導光部ＬＧ１の別の構成例について、次に、図７及び図８を用いて説明する。なお、以下の構成例についても、導光部ＬＧ２の構成例として読み替えることができる。
【００４２】
図７は、導光部ＬＧの別の構成例を示す図である。  
本構成例において、導光部ＬＧ１は、両面もしくは片面が光反射面または遮光面となった複数の板材１２ａ及び１２ｂを互いに交差する様に格子状に組み合わせたものである。複数の板材１２ａは、方向Ｄ１に延在し方向Ｄ２に並び、羽板ＬＶ１に相当する。複数の板材１２ｂは、方向Ｄ２に延在し方向Ｄ１に並び、羽板ＬＶ２に相当する。板材１２ａ及び１２ｂに囲まれた空間は、空気が存在しても良く、透明性の高い樹脂材料などによって充填されていてもよい。
【００４３】
図８は、導光部ＬＧの別の構成例を示す図である。  
導光部ＬＧ１は、方向Ｄ１に延在する角柱状の透明材料１４ａの長手方向の一面を光反射面又は遮光面として、光反射面又は遮光面が同じ方向を向くように、方向Ｄ２に並べた第１ルーバ層を備えている。また、導光部ＬＧ１は、方向Ｄ２に延在する角柱状の透明材料１４ｂの長手方向の一面を光反射面又は遮光面として、光反射面又は遮光面が同じ方向を向くように、方向Ｄ１に並べた第２ルーバ層を備えている。第１及び第２ルーバ層は、透明材料１４ａ及び１４ｂが交差する様に積層されている。透明材料１４ａの光反射面又は遮光面が羽板ＬＶ１に相当し、透明材料１４ｂの光反射面又は遮光面が羽板ＬＶ２に相当する。
【００４４】
図９は、表示パネルＰＮＬの一構成例を示す図である。  
図示した例では、表示パネルＰＮＬは、方向Ｄ１及びＤ２に延在する端部を備えている四角形状である。
【００４５】
ここでは、表示パネルＰＮＬの一例として、アクティブマトリクス駆動方式の透過型液晶表示パネルについて説明する。すなわち、表示パネルＰＮＬは、第１基板ＳＵＢ１と、第１基板ＳＵＢ１に対向した第２基板ＳＵＢ２と、第１基板ＳＵＢ１と第２基板ＳＵＢ２との間に保持された液晶層ＬＱと、を備えている。第１基板ＳＵＢ１と第２基板ＳＵＢ２とは、これらの間に所定のセルギャップを形成した状態で貼り合わせられている。表示パネルＰＮＬは、画像を表示する表示エリアＤＡを備えている。表示エリアＤＡは、マトリクス状に配置された複数のサブピクセルＰＸを有している。
【００４６】
表示エリアＤＡは、サブピクセルＰＸとして、例えば赤色を表示する赤画素ＰＸＲ、緑色を表示する緑画素ＰＸＧ、及び青色を表示する青画素ＰＸＢを有している。なお、表示エリアＤＡは、さらに、赤、緑、青とは異なる色のサブピクセル（例えば白色を表示する白画素）を有していてもよい。カラー表示を実現するための画素は、これらの複数の異なる色のサブピクセルＰＸによって構成されている。すなわち、ここでの画素とは、カラー画像を構成する最小単位である。図示した例では、画素は、赤画素ＰＸＲ、緑画素ＰＸＧ、及び、青画素ＰＸＢによって構成されている。
【００４７】
赤画素ＰＸＲは、赤色カラーフィルタを備え、光源装置からの白色光のうち主として赤色光を透過可能に構成されている。緑画素ＰＸＧは、緑色カラーフィルタを備え、光源装置からの白色光のうち主として緑色光を透過可能に構成されている。青画素ＰＸＢは、青色カラーフィルタを備え、光源装置からの白色光のうち主として青色光を透過可能に構成されている。なお、詳述しないが、カラーフィルタは、第１基板ＳＵＢ１に形成されていてもよいし、第２基板ＳＵＢ２に形成されていてもよい。
【００４８】
第１基板ＳＵＢ１は、方向Ｄ１に沿って延出した複数のゲート配線Ｇ、及び、方向Ｄ２に沿って延出しゲート配線Ｇと交差する複数のソース配線Ｓを備えている。各ゲート配線Ｇは、表示エリアＤＡの外側に引き出され、ゲートドライバＧＤに接続されている。各ソース配線Ｓは、表示エリアＤＡの外側に引き出され、ソースドライバＳＤに接続されている。これらのゲートドライバＧＤ及びソースドライバＳＤは、コントローラＣＮＴに接続されている。コントローラＣＮＴは、映像信号に基づいて制御信号を生成して、ゲートドライバＧＤ及びソースドライバＳＤを制御する。
【００４９】
各サブピクセルＰＸは、スイッチング素子ＳＷ、画素電極ＰＥ、共通電極ＣＥなどを備えている。スイッチング素子ＳＷは、ゲート配線Ｇ及びソース配線Ｓに電気的に接続されている。このようなスイッチング素子ＳＷは、例えば薄膜トランジスタによって構成されている。画素電極ＰＥは、スイッチング素子ＳＷに電気的に接続されている。共通電極ＣＥは、複数の画素電極ＰＥとそれぞれ対向している。
【００５０】
なお、表示パネルＰＮＬの詳細な構成については説明を省略するが、基板主面の法線に沿った縦電界を利用する表示モード、あるいは、基板主面の法線に対して斜め方向に傾斜した傾斜電界を利用する表示モードでは、画素電極ＰＥが第１基板ＳＵＢ１に備えられる一方で、共通電極ＣＥが第２基板ＳＵＢ２に備えられる。また、基板主面に沿った横電界を利用する表示モードでは、画素電極ＰＥ及び共通電極ＣＥの双方が第１基板ＳＵＢ１に備えられている。さらには、表示パネルＰＮＬは、上記の縦電界、横電界、及び、傾斜電界を適宜組み合わせて利用する表示モードに対応した構成を有していてもよい。なお、図示した例では、基板主面とは、Ｄ１−Ｄ２平面に相当する。
【００５１】
図１０は、表示部ＤＳＰの一構成例を示す断面図である。  
ここでは、横電界を利用する表示モードの一つであるＦＦＳ（Ｆｒｉｎｇｅ  Ｆｉｅｌｄ  Ｓｗｉｔｃｈｉｎｇ）モードを適用した表示パネルＰＮＬの断面構造について簡単に説明する。
【００５２】
第１基板ＳＵＢ１は、第１絶縁基板１００、第１絶縁膜１１０、共通電極ＣＥ、第２絶縁膜１２０、画素電極ＰＥ１乃至ＰＥ３、第１配向膜ＡＬ１などを備えている。共通電極ＣＥは、赤画素ＰＸＲ、緑画素ＰＸＧ、及び、青画素ＰＸＢに亘って延在している。赤画素ＰＸＲの画素電極ＰＥ１、緑画素ＰＸＧの画素電極ＰＥ２、青画素ＰＸＢの画素電極ＰＥ３のそれぞれは、共通電極ＣＥと対向し、それぞれスリットＳＬＡを有している。図示した例では、共通電極ＣＥは第１絶縁膜１１０と第２絶縁膜１２０との間に位置し、画素電極ＰＥ１乃至ＰＥ３は第２絶縁膜１２０と第１配向膜ＡＬ１との間に位置している。なお、画素電極ＰＥ１乃至ＰＥ３が第１絶縁膜１１０と第２絶縁膜１２０との間に位置し、共通電極ＣＥが第２絶縁膜１２０と第１配向膜ＡＬ１との間に位置していてもよい。この場合、スリットＳＬＡは、共通電極ＣＥに形成される。
【００５３】
第２基板ＳＵＢ２は、第２絶縁基板２００、遮光層ＢＭ、カラーフィルタＣＦＲ、ＣＦＧ、ＣＦＢ、オーバーコート層ＯＣ、第２配向膜ＡＬ２などを備えている。カラーフィルタＣＦＲ、ＣＦＧ、ＣＦＢは、それぞれ液晶層ＬＱを挟んで画素電極ＰＥ１乃至ＰＥ３と対向している。カラーフィルタＣＦＲは赤色のカラーフィルタであり、カラーフィルタＣＦＧは緑色のカラーフィルタであり、カラーフィルタＣＦＢは青色のカラーフィルタである。なお、図示した例では、カラーフィルタＣＦＲ、ＣＦＧ、ＣＦＢは、第２基板ＳＵＢ２に形成されているが、第１基板ＳＵＢ１に形成されてもよい。液晶層ＬＱは、第１配向膜ＡＬ１と第２配向膜ＡＬ２との間に封入されている。
【００５４】
第１偏光板ＰＬ１を含む第１光学素子ＯＤ１は、第１絶縁基板１００の外面に配置されている。第２偏光板ＰＬ２を含む第２光学素子ＯＤ２は、第２絶縁基板２００の外面に配置されている。例えば、第１偏光板ＰＬ１の第１吸収軸及び第２偏光板ＰＬ２の第２吸収軸は、直交している。
【００５５】
赤画素ＰＸＲ、緑画素ＰＸＧ、及び、青画素ＰＸＢによって構成された画素は、ピッチＰ１で配列されている。副画素ＰＸＲ、ＰＸＧ、ＰＸＢは、それぞれピッチＰ１１で配列されている。
【００５６】
照明装置ＬＳは、第１基板ＳＵＢ１と対向している。照明装置ＬＳとしては、種々の形態が適用可能であるが、図示した構成例では、表示パネルＰＮＬに対向する複数の光源ＬＥＤを備える直下型のバックライトユニットである。照明装置ＬＳの表示パネルＰＮＬと対向する側には、導光部ＬＧ１が配置されている。導光部ＬＧ１の壁面部ＬＶは、Ｄ１−Ｄ２平面において光源ＬＥＤを囲む様に配置されている。導光部ＬＧ１は、照明装置ＬＳ側の開口部が表示パネルＰＮＬ側の開口部よりも小さい逆テーパ状に形成されている。導光部ＬＧ１の表示パネルＰＮＬ側の開口部のピッチＰ３は、例えば、ピッチＰ１よりも小さい。これにより、表示装置１は、表示光Ｌ１の面内方向における輝度ムラに起因した表示品位の劣化を抑制可能である。
【００５７】
次に、反射素子２０の再帰反射面の構成について説明する。ここで説明するのは、直交する３つの反射面を有するいわゆるコーナーリフレクタ構造の再帰反射素子であるが、反射素子２０の構成は特に限定されるものではなく、球状の反射面を有する再帰反射素子などであっても良い。
【００５８】
図１１は、反射素子２０の一構成例を示す図である。  
本図は、再帰反射面２０Ａを平面視した図である。再帰反射面２０Ａは、互いに交差する方向Ｄ１及びＤ５によって規定されるＤ１−Ｄ５平面に延在している。なお、方向Ｄ１及びＤ５は、図示した例では互いに直交しているが、９０°以外の角度で交差していてもよい。また、方向Ｄ６は、Ｄ１−Ｄ５平面の法線方向である。
【００５９】
反射素子２０は、複数の反射体２３を備えている。図示した平面図においては、反射体２３は、正三角形状に形成されている。反射体２３に対応する領域を囲む３辺には頂部２０Ｈが位置し、反射体２３の中心には底部２０Ｌが位置している。反射体２３は、底部２０Ｌが紙面の奥に向かって窪み、底部２０Ｌから放射状に延在する３つの反射面Ｍ１乃至Ｍ３を備えている。反射面Ｍ１乃至Ｍ３は、それぞれ異なる方向に延在する頂部２０Ｈの１辺と、底部２０Ｌと、を結んだ三角形状の領域に位置している。
【００６０】
反射面Ｍ１乃至Ｍ３は、いずれも同一形状であり、互いに隣接している。例えば、反射面Ｍ１とＭ２とは、境界Ｂ１で互いに隣接し、境界Ｂ１を挟んで対称な形状である。反射面Ｍ２とＭ３とは、方向Ｄ４に延在する境界Ｂ２で互いに隣接し、境界Ｂ２を挟んで対称な形状である。反射面Ｍ３とＭ１とは、境界Ｂ３で互いに隣接し、境界Ｂ３を挟んで対称な形状である。反射面Ｍ１乃至Ｍ３は、それぞれ底部２０Ｌで直角となる角部を有している。また、これらの反射面Ｍ１乃至Ｍ３は、互いに直交している。このような形状の反射面Ｍ１乃至Ｍ３で構成される再帰反射面２０Ａは、コーナーキューブ、あるいは、コーナーリフレクタなどと称される。３つの反射面Ｍ１乃至Ｍ３によって囲まれた内側には空気層、若しくは反射面Ｍ１乃至Ｍ３を保護する保護部材が位置している。反射体２３では、入射光が３つの反射面Ｍ１乃至Ｍ３でそれぞれ反射されることによって、入射光とほぼ同一の光路に反射する再帰反射を実現している。
【００６１】
図示した例では、反射体２３は、方向Ｄ１に配列されている。また、反射体２３は、方向Ｄ５にピッチＰ２で配列されている。但し、方向Ｄ１及びＤ５でそれぞれ隣り合う反射体２３は、互いに１８０度反転した形状を有している。
【００６２】
表示画像Ｉ１の解像度は、反射体２３のピッチＰ２に依存する。解像度の劣化を抑制するためには、ピッチＰ２は、図１０に示した表示パネルＰＮＬにおける画素のピッチＰ１よりも小さいことが望ましい。
【００６３】
図１２は、図１１に示したＸＩＩ−ＸＩＩ’線に沿った反射素子２０の断面図である。  
図示した例では、頂部２０Ｈは、底部２０Ｌよりも表示装置１の内側に位置している。再帰反射面２０Ａの反射面Ｍ１乃至Ｍ３によって形成されるコーナーリフレクタは、図中の破線で示した水平面（Ｄ１−Ｄ５平面と平行な面）Ｈに対して窪んでいる。水平面Ｈは、頂部２０Ｈを含む面である。底部２０Ｌは、水平面Ｈよりも裏面２０Ｂに近接する側に位置している。但し、基材２１が表示装置１の内側に位置する構成である場合、コーナーリフレクタは、水平面Ｈに対して突出していると見なすこともできる。つまり、基材２１が表示装置１の内側に位置する場合には、底部２０Ｌが、頂部２０Ｈよりも表示装置１の内側に位置する。水平面Ｈと再帰反射面２０Ａとで形成される断面は、直角三角形である。反射面Ｍ１と境界Ｂ２とが成す角度が９０°であり、水平面Ｈが斜辺に相当する。反射面Ｍ１と水平面Ｈとが成す角度θαは、約５４．７°である。
【００６４】
一例では、表示パネルＰＮＬにおける画素のピッチＰ１が２００μｍである場合、反射素子２０における再帰反射体のピッチＰ２は１８０μｍであり、ピッチＰ２はピッチＰ１よりも小さい。また、再帰反射面２０Ａは、水平面Ｈの法線方向に相当する方向Ｄ５に沿って深さｄを有している。一例では、深さｄは７３．５μｍである。なお、金属薄膜２２の膜厚ｔは、再帰反射面２０Ａの全面に亘って略均一であり、深さｄと比べて十分に小さく、一例では１５０ｎｍである。このため、金属薄膜２２が形成された際に、再帰反射面２０Ａを象った基材２１の表面２１Ａが金属薄膜２２によって埋まる、あるいは、再帰反射面２０Ａを崩すことはない。
【００６５】
図１３は、羽板ＬＶ１による表示光Ｌへの指向性の付与の一例を示す図である。  
本図は、図１０に示した構成例において、導光部ＬＧ１が付与する指向性の一例について模式的に表している。横軸が方向Ｄ２の位置を表し、縦軸が方向Ｄ４の位置を表している。光源ＬＥＤのＤ２位置が０ｃｍとし、導光部ＬＧ１の照明装置ＬＳ側の開口部の方向Ｄ２の幅を１ｃｍとし、表示パネルＰＮＬ側の開口部の方向Ｄ２の幅を３ｃｍとしている。方向Ｄ２で対向する２つの羽板ＬＶ１は、それぞれ方向Ｄ４の高さが３ｃｍであり、一方の羽板ＬＶ１は、方向Ｄ２に２ｃｍ傾き、他方の羽板ＬＶ２は、方向Ｄ１に４ｃｍ傾いている。
【００６６】
図１４は、図１３に示した表示光Ｌの指向性を示す図である。  
本図は、導光部ＬＧ１を配置しない場合における照明装置ＬＳの正面輝度を１とし、照明装置ＬＳから出射した光が導光部ＬＧ１を透過した後の輝度分布を、横軸出射角、縦軸輝度としてグラフ化したものである。本構成において、導光部ＬＧ１を通した光は、導光部ＬＧ１の素子面の法線方向に対して、−４５°方向を中心に指向している。また、本構成例の最大輝度は、導光部ＬＧ１を通さない場合の最大輝度の４倍となっている。従って、表示装置１は、表示画像Ｉ１の輝度を向上させることができる。
【００６７】
次に壁面部ＬＶの高さ及び角度αと、導光部ＬＧ１からの光の出射角に当たる角度γと、の関係性について説明する。
【００６８】
図１５は、羽板ＬＶ１による表示光Ｌの出射角制限の一例を示す図である。  
本図は、図１０に示した構成例における壁面部ＬＶの高さ等の具体的な数値の一例を示した図である。
【００６９】
導光部ＬＧ１の素子面に対する法線方向となる方向Ｄ４において、羽板ＬＶ１の高さは３ｃｍとする。光源ＬＥＤは、導光部ＬＧ１の照明装置ＬＳ側の開口部の中心に位置し、光源ＬＥＤの中心は、羽板ＬＶ１から０．５ｍｍの位置とする。角度αは、素子面に対する羽板ＬＶ１の角度であり、角度γは、素子面の法線方向に対する光の最大出射角である。
【００７０】
図１６は、図１５に示した角度γと角度αとの関係を示す図である。  
本図に示したグラフは、横軸が角度α、縦軸が角度γである。角度αが大きくなるほど、角度γは制限されている。
【００７１】
以上説明したように、本実施形態によれば、表示品位の劣化を抑制することが可能な表示装置を提供することができる。
【００７２】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００７３】
１…表示装置  Ｉ０，Ｉ１…表示画像  Ｌ、Ｌ１、Ｌ２…表示光  
ＤＳＰ…表示部  ＬＳ…照明装置  ＰＮＬ…表示パネル  
１０…反射素子  ＰＬ…偏光素子  ＲＡ…位相差板  
２０…反射素子  ２０Ａ…再帰反射面  ２１…基材  ２２…金属薄膜  
ＬＧ１、ＬＧ２…導光部  ＬＶ…壁面部  ＬＶ１，ＬＶ２…羽板  
【図１】
2018045096.tif 000003
【図２】
2018045096.tif 000004
【図３】
2018045096.tif 000005
【図４】
2018045096.tif 000006
【図５】
2018045096.tif 000007
【図６】
2018045096.tif 000008
【図７】
2018045096.tif 000009
【図８】
2018045096.tif 000010
【図９】
2018045096.tif 000011
【図１０】
2018045096.tif 000012
【図１１】
2018045096.tif 000013
【図１２】
2018045096.tif 000014
【図１３】
2018045096.tif 000015
【図１４】
2018045096.tif 000016
【図１５】
2018045096.tif 000017
【図１６】
2018045096.tif 000018